【事件の表示】
　平成　２年特許願第４１４８０９号「ビデオカメラ」拒絶査定不服審判事件〔平成　４年　８月１９日出願公開、特開平　４−２２９７８３〕について、次のとおり審決する。
【結　論】
　本件審判の請求は、成り立たない。
【理　由】
１　【手続きの経緯、本願発明】
　本願は、平成２年１２月２７日の出願であって、その特許請求の範囲の請求項１及び２に係る発明は、平成１５年１２月２４日付けの手続補正書により補正された明細書及び図面の記載からみて、その請求項１及び２に記載されたとおりの「ビデオカメラ」にあると認められるところ、その請求項１に係る発明（以下「本願発明」という。）は、次のとおりのものである。
「【請求項１】　撮像信号の信号レベルを調整するＡＧＣアンプと、
　上記ＡＧＣアンプから出力された撮像信号をディジタル信号に変換するＡ／Ｄ変換手段と、
　上記Ａ／Ｄ変換手段の出力に基づき検出される上記撮像信号のレベルに応じて露光制御信号を生成する手段と、
　上記露光制御信号に基づき上記ＡＧＣアンプのゲインとアイリスの開度とを制御する手段と
からなる自動露光制御機能を備え、
　垂直ブランキング期間では、上記ＡＧＣアンプのゲインと上記アイリスの開度とを上記露光制御信号に応じて設定し、映像期間中では、上記ＡＧＣアンプのゲインと上記アイリスの開度とを一定にするようにしたことを特徴とするビデオカメラ。」
　　　　　　　
２　【引用例】
　これに対して、原査定の拒絶の理由に引用された特開昭６３−２６３９０６号公報（以下「引用例」という。）には、「自動利得制御装置」（発明の名称）に関し、図面と共に次の（１）ないし（５）のとおりの記載がある。
（１）「本発明は自動利得制御装置、さらに詳しくは、信号伝達系における信号の利得を安定に自動制御するための自動利得制御装置に関する。」（公報１頁右下欄３行〜５行）
（２）「従来の自動利得制御装置では、例えば、第５図に示すように、入力端子Ｉｎと出力端子Ｏｕｔとの間の信号伝達経路にゲインコントロールアンプ（以下、ＧＣＡと略記する）５１を設け、このＧＣＡ５１を通つた出力信号をローパスフイルタ（以下、ＬＰＦと略記する）５２によつてフイードバックし、このＬＰＦ５２の出力をオペアンプ５３および抵抗５４、５５からなる反転増幅回路５６に入力させ、この反転増幅回路５６で可変抵抗５７により設定された基準電圧Ｖｒｅｆとの比較による誤差出力をＧＣＡ５１のコントロール端子に供給して、この誤差出力が少なくなる方向にＧＣＡ５１を制御していた。」（公報１頁右下欄７行〜１９行）
（３）「一般に、連続した画像を得るビデオテープレコーダ等においては、利得制御のためにそれほど高速の応答性が要求されないので、上記従来装置でも充分に使用の目的を達成することができるが、電子スチルカメラにおいては、短い時間で１つの画像を得るので高速応答性が要求され、上記従来装置をこのような高速応答性が要求される電子スチルカメラ等に適用することはできない。」（公報２頁左上欄１７行〜同頁右上欄４行）
（４）「第１図に本発明装置の一実施例を示す。この自動利得制御装置は、例えば、電子スチルカメラ等において、利得制御すべき画像信号の伝送経路中に挿入される。入力端子Ｉｎは、スイッチングトランジスタ、アナログマルチプレクサＩＣ等からなる切換スイッチ２の第１の接点端子２ａおよび積分器３の入力端子に接続されている。積分器３の出力端子はサンプルホールド回路（以下、Ｓ／Ｈと略記する）４の入力端子に接続され、このＳ／Ｈ４の出力端子は上記切換スイッチ２の第２の接点端子２ｂに接続されている。切換スイツチ２の第３の接点端子２ｃはＧＣＡ５の入力端子に接続されている。切換スイッチ２は接点端子２ａ，２ｂのいずれかに対する接点端子２ｃの接続状態が切換えられて、入力端子Ｉｎに供給される利得制御信号をそのまま、あるいは積分器３およびＳ／Ｈ４を通じてＧＣＡ５に導く。ＧＣＡ５の出力端子はこの自動利得制御装置の出力端子Ｏｕｔに接続されているとともに、誤差検出回路７の一方の入力端子に接続されている。この誤差検出囲路７の他方の入力端子には基準電圧発生回路６の出力端子が接続されている。誤差検出回路７はＧＣＡ５の出力レベルと基準電圧発生回路６の発生する基準電圧Ｖｒｅｆのレベルとの誤差に応じた信号を出力する。この誤差検出回路７の出力は制御回路８に送られる。制御回路８の出力端子はアナログスイッチ９の第２の接点端子９ｂに接続されているとともに、Ｓ／Ｈ１０の入力端子に接続されている。Ｓ／Ｈ１０の出力端子はアナログスイッチ９の第１の接点端子９ａに接続されている。アナログスイッチ９の接点端子９ｃはＧＣＡ５のコントロ−ル端子に接続されている。アナログスイッチ９は上記切換スイッチ２に連動して切換制御されるもので、接点端子９ａ，９ｂに対する接点端子９ｃの接続状態が切換えられて制御回路８の出力をＳ／Ｈ１０を通じて、あるいは制御回路８の出力をそのままＧＣＡ５のコントロール端子に導く。」（公報２頁左下欄１３行〜３頁左上欄９行）
（５）「次にこの自動利得制御装置の動作について述べる。入力端子Ｉｎには電子スチルカメラの利得制御すべき画像信号が供給される。この画像信号は第２図に示すように、フィールド期間ｆ１，ｆ２，ｆ３，・・・・・・の各信号間に垂直ブランキング期間Ｂ１，Ｂ２，Ｂ３・・・・・・を有してなるもので、例えば、連続した２つのフィールド期間の信号により１フレームの画像を形成する。まず、切換スイッチ２は、垂直ブランキング期間Ｂ１の終了時点、すなわち第１のフイールド期間ｆ１の開始時点で、接点端子２ｃが第１の接点端子２ａに接続する。この状態は第１のフィールド期間ｆ１維持される。したがつて、フィールド期間ｆ１の信号は切換スイツチ２を通じてＧＣＡ５に入力される。また、このフイールド期間ｆ１の信号は積分器３に入力され、第１のフィールド期間ｆ１の開始時点で積分が開始される。積分器３の出力はＳ／Ｈ４に入力される。Ｓ／Ｈ４は後述するように、このあと、このフィールド期間ｆ１に亘つて積分された信号をこのフィールド期間ｆ１の終了時点でサンプリングホールドする。また、上記ＧＣＡ５を通過したフィールド期間ｆ１の信号は誤差検出回路７に入力され、この誤差検出回路７で基準電圧Ｖｒｅｆとの比較による誤差電圧が検出されると、この誤差電圧に応じた利得制御信号が制御回路８より出力される。フィールド期間ｆ１では、アナログスイッチ９の接点端子９ｃは第１の接点端子９ａに接続しているので、ＧＣＡ５のコントロール端子にはＳ／Ｈ１０の出力が入力される。すなわち、第１のフィールド期間ｆ１の信号については、ＧＣＡ５でＳ／Ｈ１０の初期設定値に対応した利得に制御され出力端子Ｏｕｔに出力される。
　そして、上記第１のフィールド期間ｆ１が終了して垂直ブランキング期間Ｂ２に入ると、この時点で、切換スイツチ２の接点端子２ｃが接点端子２ｂに接続を切換え、アナログスイッチ９の接点端子９ｃが接点端子９ｂに接続を切換える。また、この時点で、Ｓ／Ｈ４は第１のフィールド期間ｆ１に亘つて積分した積分器３の出力電圧をサンプリングホールドする。したがって、この垂直ブランキング期間Ｂ２では、Ｓ／Ｈ４の出力は切換スイッチ２およびＧＣＡ５を通過し、このＧＣＡ５の出力と基準電圧Ｖｒｅｆとの誤差出力に基づく制御回路８の出力信号はＧＣＡ５のコントロール端子に入力され、かつＳ／Ｈ１０に入力される。つまり、この垂直ブランキング期間Ｂ２では、第１のフィールド期間ｆ１の信号の積分出力値がＧＣＡ５を通過するとき、この値を基準電圧Ｖｒｅｆに合せ込むようにフィードバツク制御されＧＣＡ５の利得が制御される。そして、このときのＧＣＡ５のコントロール端子への利得制御信号の値はＳ／Ｈ１０に導かれる。
　このあと、垂直ブランキング期間Ｂ２が終了して第２のフィールド期間ｆ２になると、この第２のフィールド期間ｆ２の信号の立ち上がりで、切換スイッチ２の接点端子２ａが接点端子２ｃに接続し、またアナログスイッチ９の接点端子９ａが接点端子９ｃに接続する。すると、第２のフィールド期間ｆ２の信号は切換スイッチ２を通じてＧＣＡ５に入力される。また、このフィールド期間ｆ２の開始時点で、Ｓ／Ｈ１０は制御回路８の出力をサンプリングホールドするので、上記垂直ブランキング期間Ｂ２では、フィールド期間ｆ１の信号の積分器出力に基づいて誤差検出回路７の出力が０となるような制御回路８の出力をサンプルホールドしたＳ／Ｈ１０の出力はＧＣＡ５のコントロール端子に入力される。したがって、第１のフィールド期間ｆ２に続く第２のフィールド期間ｆ２においてあまり急激な人力信号のレベル変化がないものとすれば、この第２のフィールド期間ｆ２におけるＧＣＡ５の出力信号はその積分器出力が基準電圧Ｖｒｅｆと略同様のレベルとなるよう利得制御されることになる。」（公報３頁左上欄１０行〜４頁左上欄４行）
　　　　　　　　　　　　　　　　　　　　　　　　　　　　　　　　　
３　【当審の判断】
（１）［対比］
　本願発明と引用例に記載の発明とを対比すると次のことが認められる。
　　ア　引用例には、この自動利得制御装置は、電子スチルカメラ等において、利得制御すべき画像信号の伝送経路中に挿入され、入力端子Ｉｎは、ＧＣＡ５の入力端子に接続され、入力端子Ｉｎに供給される利得制御信号をＧＣＡ５に導き、ＧＣＡ５の出力端子はこの自動利得制御装置の出力端子Ｏｕｔに接続されているとともに、誤差検出回路７の入力端子に接続され、この誤差検出回路７の出力は制御回路８に送られ、制御回路８の出力はＧＣＡ５のコントロール端子に接続されることが記載されており（引用例の上記の（４）記載参照）、上記「ＧＣＡ５」が、本願発明の「ＡＧＣアンプ」に相当することは明らかであり、またＧＣＡ５から出力された信号は、誤差検出回路７の入力端子に接続され、この誤差検出回路７の出力は制御回路８に送られ、制御回路８の出力に応じてＧＣＡ５の利得（ゲイン）を自動的にコントロールし、ＧＣＡ５の出力レベル（明るさ）を制御するもの、すなわち自動露光制御するものといえ、引用例に記載の発明も、本願発明でいう「ＡＧＣアンプから出力された撮像信号に基づき検出される上記撮像信号のレベルに応じて露光制御信号を生成する手段と、上記露光制御信号に基づき上記ＡＧＣアンプのゲインを制御する手段とからなる自動露光制御機能を備え」るものといえる。　　
　　イ　引用例には、入力端子Ｉｎには電子スチルカメラの利得制御すべき画像信号が供給され、第１のフィールド期間ｆ１では、ＧＣＡのコントロール端子にＳ／Ｈ１０の出力が入力されることにより、第１のフィールド期間ｆ１の信号については、ＧＣＡ５でＳ／Ｈ１０の初期設定値に対応した利得に制御され出力端子Ｏｕｔに出力され、また上記第１のフィールド期間ｆ１が終了して垂直ブランキング期間Ｂ２に入ると、この垂直ブランキング期間Ｂ２では、制御回路８の出力信号はＧＣＡ５のコントロール端子に入力され、第１のフィールド期間ｆ１の信号の積分値出力値がＧＣＡ５を通過するとき、この値を基準電圧Ｖｒｅｆに合せ込むようにフィードバック制御されＧＣＡ５の利得が制御され、このあと垂直ブランキング期間Ｂ２が終了して第２のフィールド期間ｆ２になると、制御回路８の出力をサンプルホールドしたＳ／Ｈ１０の出力がＧＣＡ５のコントロール端子に入力されることが記載されている（引用例の上記（５）の記載参照）。
　これらの記載によれば、引用例に記載の発明も、垂直ブランキング期間では、制御回路の出力に応じてＧＣＡの利得（ゲイン）が設定され、またフィールド期間では、サンプルホールドしたＳ／Ｈ１０の出力信号でＧＣＡ５の利得（ゲイン）を制御する、すなわち映像期間中では、ＧＣＡ５の利得（ゲイン）を一定にするものといえ、それによって、映像期間中の画面の明るさのばらつきが生じないことも自然に理解できることである。
　してみると、引用例に記載の発明も、「垂直ブランキング期間では、上記ＡＧＣアンプのゲインを上記露光制御信号に応じて設定し、映像期間中では、上記ＡＧＣアンプのゲインを一定にする」ものといえ、その点では本願発明と変わりがない。
　　ウ　引用例には、連続した画像を得るビデオテープレコーダ等においては、利得制御のためにそれほど高速の応答性は要求されないが、電子スチルカメラにおいては、短い時間で１つの画像を得るので高速応答性が要求されることが記載されており（引用例の上記（３）の記載参照）、引用例に記載の発明は、電子スチルカメラの要求にも対応し得るものではあるが、その発明自体は、電子スチルカメラ特有のものとはいえず、「ビデオカメラ」を対象としていることも明らかである。
　　　　　　　　　　　　　　　　　　　
　（２）［一致点］　　　　
　以上の点アないしウを踏まえると、本願発明と引用例に記載の発明とは、
「撮像信号の信号レベルを調整するＡＧＣアンプと、
　上記ＡＧＣアンプから出力された撮像信号に基づき検出される上記撮像信号のレベルに応じて露光制御信号を生成する手段と、
　上記露光制御信号に基づき上記ＡＧＣアンプのゲインを制御する手段と
からなる自動露光制御機能を備え、
　垂直ブランキング期間では、上記ＡＧＣアンプのゲインを上記露光制御信号に応じて設定し、映像期間中では、上記ＡＧＣアンプのゲインを一定にするようにしたことを特徴とするビデオカメラ。」である点で一致し、次の点で相違する。　
　　　　　　　　　　　　　　
　（３）［相違点］　　　　　
　相違点１
　本願発明では、ＡＧＣアンプから出力された撮像信号を「ディジタル信号に変換するＡ／Ｄ変換手段」を設け、「上記Ａ／Ｄ変換手段の出力」に基づき検出される上記撮像信号のレベルに応じて露光制御信号を生成するものであるのに対して、引用例に記載の発明には、Ａ／Ｄ変換手段について開示がない点。
　相違点２
　制御する手段が、本願発明では、露光制御信号に基づきＡＧＣアンプのゲインと「アイリスの開度」とを制御するものであるのに対して、引用例に記載の発明には、アイリスを制御することについて開示がない点。
　相違点３
　本願発明では、垂直ブランキング期間では、上記ＡＧＣアンプのゲインと「上記アイリスの開度」とを露光制御信号に応じて設定し、映像期間中では、上記ＡＧＣのゲインと「上記アイリスの開度」とを一定にするものであるのに対して、引用例に記載の発明には、それらのことが記載されていない点。
　　　　　　　　　　　　　　　　　　　　　　　　　
　（４）［相違点の検討］
　そこで、上記各相違点について検討する。
　相違点１について
　ビデオカメラにおいて、ＡＧＣアンプから出力された撮像信号をＡ／Ｄ変換手段によってディジタル信号に変換し、その撮像信号のレベルに応じて露光制御信号を生成することは、例えば、特開昭５８−９７９６９号公報にも記載されているように周知の事項であり、引用例に記載の発明において、ＡＧＣアンプから出力された撮像信号を「ディジタル信号に変換するＡ／Ｄ変換手段」を設け、「上記Ａ／Ｄ変換手段の出力」に基づき検出される上記撮像信号のレベルに応じて露光制御信号を生成する程度のことは当業者が適宜になし得ることといえる。
　相違点２について、
　ビデオカメラにおいて、露光制御信号に基づきアイリスの開度を制御することは極めて普通のことであり（前掲の特開昭５８−９７９６９号公報参照）、引用例に記載の発明において、制御する手段が、露光制御信号に応じて、ＡＧＣアンプのゲインを制御するのみならず、「アイリスの開度」をも制御する程度のこと、すなわち、本願発明のように、露光制御信号に基づきＡＧＣアンプのゲインと「アイリスの開度」とを制御する程度のことは当業者が適宜になし得ることといえる。
　相違点３について
　上記相違点２でも検討したように、本願発明が、ＡＧＣアンプのゲインのみならず、「アイリスの開度」をも制御することに伴い、引用例に記載の発明において、垂直ブランキング期間では、ＡＧＣアンプのゲインのみならず、「上記アイリスの開度」をも露光制御信号に応じて設定し、映像期間中では、ＡＧＣアンプのゲインのみならず、「上記アイリスの開度」をも一定として、画面の明るさのばらつきが生じないようにする程度のこと、すなわち、本願発明のように、垂直ブランキング期間では、上記ＡＧＣアンプのゲインと「上記アイリスの開度」とを露光制御信号に応じて設定し、映像期間中では、上記ＡＧＣのゲインと「上記アイリスの開度」とを一定にする程度のことは当業者が適宜になし得ることといえる。
　　　
　そして、上記各相違点を総合的に考慮しても、本願発明は容易になし得るものといえ、また、本願発明の構成に基づく効果についてみても格別顕著なものがあるとはいえない。　　
　　　　　　　　　　　　　　　　　　　　
４　【むすび】
　したがって、本願の請求項１に係る発明は、引用例に記載された発明に基づいて当業者が容易に発明をすることができたものであるから、本願発明は、特許法第２９条第２項の規定に該当し特許を受けることができない。
　それ故、他の請求項２に係る発明について検討するまでもなく、本願は拒絶されるべきものである。
　よって、結論のとおり審決する。